(57)【特許請求の範囲】
【請求項１】
ドア本体の室内側に露出され、前記ドア本体とは別体とされ、該ドア本体の室内側表面から離間して覆うようにシート状の遮音材よりなるドア部に整合する形状の遮音部材を着脱可能に配設し、
前記遮音部材には、該遮音部材の四周部を囲繞する遮音材からなるフラップが連結され、前記遮音部材と前記フラップとにより箱状に形成されてなり、
前記遮音材は、網目シートで被包されていることを特徴とするドアの遮音構造。
【請求項２】
上記遮音部材が、アコーデオンプリーツ状に形成されてなることを特徴とする請求項１記載のドアの遮音構造。
【請求項３】
遮音部材のドア室内側表面からの離間距離が、５〜１５ｃｍであることを特徴とする請求項１又は請求項２記載のドアの遮音構造。
【請求項４】
上記遮音部材の配設は、ドア本体の上部に少なくとも２個のブラケットを設けて、該ブラケットに挿通してほぼ水平に支持されたパイプに遮音部材を吊下してなることを特徴とする請求項１記載のドアの遮音構造。
【請求項５】
ドア本体を閉止した際のドア本体とドア枠との隙間を目張りしてなることを特徴とする請求項１記載のドアの遮音構造。
【請求項６】
ドア本体の室内側表面から離間して覆うように配設するドア用遮音部材であって、前記ドア本体の室内側に露出され、前記ドア本体とは別体とされ、シート状の遮音材よりなるドア部に整合する形状の遮音部材に、これの四周を囲繞する遮音材よりなるフラップを配して箱状に形成されるとともに、前記シート状遮音部材の内面上部に支持棒を挿通せしめる左右水平に延びる吊下用ポケットを設けてなり、前記ドア本体に着脱可能に配設され、
前記遮音材は、網目シートで被包されていることを特徴とするドア用遮音部材。
【請求項７】
フラップは、その幅が１０〜２０ｃｍであることを特徴とする請求項６記載のドア用遮音部材。
【請求項８】
上記遮音部材がアコーデオンプリーツ状に形成されてなることを特徴とする請求項６記載のドア用遮音部材。
【請求項９】
遮音材が比重１〜１．５、厚み５〜１５ｍｍであることを特徴とする請求項６記載のドア用遮音部材。
【請求項１０】
遮音材が合成ゴム、天然ゴム、ＰＶＣ、ウレタンなどの合成樹脂であることを特徴とする請求項９記載のドア用遮音部材。
【発明の詳細な説明】
【０００１】
【発明の属する技術分野】
本発明は、室内の騒音がドアを介して外部へ伝播するのを防止、低減するためのドアの遮音構造とそれに使用するドア用遮音部材に関する。
【０００２】
【従来の技術】
マンション等の集合住宅の内装の改修工事に際しては、工事作業で発生する工事騒音や、振動が近隣住民に不快感を与えて、しばしば近隣不和や、騒動を惹起することとなっていた。そして、これらの騒音や音響の漏洩、伝播は、コンクリートの集合住宅では窓やドアを介してであり、そのため、工事騒音等が外部に漏洩、伝播しないように、従来、窓やドアに目張りしたり、窓やドアに遮音材を内側より密接して配設して、遮音するようにしていた。
しかしながら、上記した従来の遮音する手段では、その遮音効果は、未だ充分満足し得るものとはいえず、更に遮音効果の優れた遮音方法の出現が望まれていた。
【０００３】
【発明が解決しようとする課題】
本発明は上記事情に鑑みなされたもので、室内で生ずる工事騒音等の音響や振動が、特にドアを介して外部に漏洩、伝播するのを、極めて効果的に防止、低減することが可能な、遮音効果の優れたドアの遮音構造とそれに使用するドア用遮音部材を提供することを本発明の解決すべき課題とするものである。
【０００４】
【課題を解決するための手段】
上記課題を解決するため、
請求項１に係わる発明は、ドア本体の室内側に露出され、前記ドア本体とは別体とされ、該ドア本体の室内側表面から離間して覆うようにシート状の遮音材よりなるドア部に整合する形状の遮音部材を着脱可能に配設し、前記遮音部材には、該遮音部材の四周部を囲繞する遮音材からなるフラップが連結され、前記遮音部材と前記フラップとにより箱状に形成されてなり、前記遮音材は、網目シートで被包されているドアの遮音構造としたものである。
請求項２に係わる発明は、遮音部材を、アコーデオンプリーツ状に形成した請求項１記載のドアの遮音構造としたものである。
請求項３に係わる発明は、遮音部材のドア本体の室内側表面からの離間距離が、５〜１５ｃｍである請求項１又は請求項２記載のドアの遮音構造としたものである。
請求項４に係わる発明は、遮音部材の配設を、ドア本体の上部に少なくとも２個のブラケットを設けて、該ブラケットに挿通してほぼ水平に支持されたパイプに遮音部材を吊下した構造の請求項１記載のドアの遮音構造としたものである。
請求項５に係わる発明は、ドア本体を閉止した際のドア本体とドア枠との隙間を目張りしてなるドアの遮音構造としたものである。
【０００５】
請求項６に係わる発明は、ドア本体の室内側表面から離間して覆うように配設するドア用遮音部材であって、前記ドア本体の室内側に露出され、前記ドア本体とは別体とされ、シート状の遮音材よりなるドア部に整合する形状の遮音部材に、これの四周を囲繞する遮音材よりなるフラップを配して箱状に形成されるとともに、前記シート状遮音部材の内面上部に支持棒を挿通せしめる左右水平に延びる吊下用ポケットを設けてなり、前記ドア本体に着脱可能に配設され、前記遮音材は、網目シートで被包されているドア用遮音部材としたものである。
請求項７に係わる発明は、フラップの幅が１０〜２０ｃｍである請求項６記載のドア用遮音部材としたものである。
請求項８に係わる発明は、遮音部材がアコーデオンプリーツ状に形成されてなる請求項６記載のドア用遮音部材としたものである。
請求項９に係わる発明は、遮音材が比重１〜１．５、厚み５〜１５ｍｍである請求項６記載のドア用遮音部材としたものである。
請求項１０に係わる発明は、遮音材が合成ゴム、天然ゴム、ＰＶＣ、ウレタンなどの合成樹脂である請求項９記載のドア用遮音部材としたものである。
【０００６】
【発明の実施の形態】
本発明のドアの遮音構造とそれに使用するドア用遮音部材の実施の形態を、「内開きドア部の遮音構造」と「外開きドア部の遮音構造」とに分けて、図面を参照して説明する。
［内開きドア部の遮音構造］
図１、図２は、本発明のドアの遮音構造の一例として、室内側に開閉操作される内開きドアについての遮音構造を説明するものである。
図１において、符号１０は室内側（イ）に開閉操作されるドア部であり、符号２０は該ドア部１０に配置するドア用遮音部材の一例を示すものである。ドア部１０において、ドア本体１は、室内側（イ）に開閉操作されるよう、その一側部１ａがドア枠２に蝶番３、３、３により支持されている。そして、ドア枠２の内周面２ａの外側位置に沿って内方向に突出するドア係止突起４が配設されていて、ドア本体１を閉止する時にドア枠２に納めて、ドア本体１が室外側に行き過ぎないよう、ドア本体１の室外側（ロ）の表面１ｅの縁部を前記ドア係止突起４に当接せしめて、所定位置に位置決めして係止する。
【０００７】
又、ドア本体１の上部桟１ｂには、後述する遮音部材を吊下する支持棒を懸架支持するための少なくとも２個の複数個のブラケット５−１、５−２が左右水平に位置して、その支持腕５ａを室内側（イ）に突出して、ねじ止めの如き方法で着脱可能に配設されている。なお、図１に図示した内開きドア本体１においては、蝶番３が配設されるドア本体１の前記一側部１ａと対向する側部１ｃ側に配置されるブラケット５−１は、そのドア枠２側の側部縁端５−１ａがドア本体１の側部１ｃの側面と面一になるよう配置されることが好ましい。
【０００８】
ドア用遮音部材２０は、ドア部１０の形状に合わせたシート状の遮音材１１よりなるドア部に整合する形状をした遮音部材２１と、この遮音部材２１の四周部２１ａ、２１ｂ、２１ｃ、２１ｄを囲繞するとともに遮音部材２１に連結された遮音材１１からなる帯状のフラップ２２とからなり、箱状に形成されてなるものである。そして、前記フラップ２２は１０〜２０ｃｍの幅ｗを有している。この幅ｗは、ドア部に整合する形状の遮音部材２１を、ドア本体１に配置するにあたって、ドア本体１の室内側（イ）の表面１ｄより好ましい間隔５〜１５ｃｍに離間せしめて配置するために必要とするものである。
【０００９】
又、上記遮音部材２１やフラップ２２を形成するシート状の遮音材１１は遮音効果をより高く維持するため、その比重が１〜１．５で、その厚みが５〜１５ｍｍであることが好ましい。比重が１以下であったり、その厚みが５ｍｍ以下である遮音材１１では、遮音効果が低下し、一方比重が１．５以上であったり、厚みが１５ｍｍ以上ある遮音材１１では、遮音効果の向上が飽和して、それ以上の向上が期待できない。このような遮音効果の向上に好適な遮音材１１としては合成ボム、天然ゴム、ＰＶＣ、ウレタンなどの合成樹脂が挙げられる。
【００１０】
上記遮音部材２１やフラップ２２を形成するシート状の遮音材１１は型くずれを防止してその形状を維持したり、取り扱いを容易にするため繊維や合成樹脂でなる網目シート２３で被包する。
このように箱状に形成して構成したドア用遮音部材２０は、遮音部材２１の内面２１ｅの上部に、吊下用支持棒を挿通せしめるため、例えば網材の如き材料で形成した筒状の吊下用ポケット２４が左右水平に延びて設けられている。
【００１１】
本発明のドアの遮音構造は、上記したドア用遮音部材２０をドア部１０に、図２に図示するように、室内側開閉操作の内開きドア部１０に配置することにより構成される。
先ず、ドア部１０のドア枠２とドア本体１との隙間を目張りする。実際にはドア係止突起４に発泡樹脂製の隙間テープ２５を貼り付け、ドア枠２とドア本体１との隙間を塞ぐようにする。そして、ドア用遮音部材２０の遮音部材２１の内面２１ｅ上部に配設した吊下用ポケット２４に吊下用支持棒２６を挿通せしめて、該吊下用支持棒２６の両端部をドア本体２の上部に配設したブラケット５−１、５−２の支持腕５ａに挿通して懸架せしめて、ドア用遮音部材２０をドア本体１を覆うように吊下して配置する。次いで、遮音部材２１の四周に配したフラップ２２を内側に折り込んで、該ドア用遮音部材２０を、シート状の遮音部材２１がドア本体１の室内側（イ）の表面１ｄより間隔Ｘを隔たるよう、ドア部１０を覆うように配設したものである。
【００１２】
上記した如き本発明のドアの遮音構造では、前記シート状の遮音部材２１のドア本体１の室内側（イ）の表面１ｄと離間せしめる間隔Ｘは５〜１５ｃｍであることが好ましい。５ｃｍ以下の間隔では、従来の遮音材をドア本体に接触して配置したものとその遮音効果に大きな向上が無く、又、１５ｃｍ以上の間隔では遮音効果の向上が飽和して、それ以上の遮音効果の向上が期待できない。
なお、かかるシート状の遮音部材２１を、ドア本体１の表面１ｄとの前記間隔Ｘとして、好適な間隔５〜１５ｃｍに保つため、前記フラップ２２の幅ｗは縁端２２での貼着のりしろを含めて約１０〜２０ｃｍとするとよい。
【００１３】
さらに、上記遮音部材２１として、図３に図示する如くアコーデオンプリーツ状の遮音部材２１Ｐで形成して、ドア用遮音部材４０とすると遮音効果はより向上する。なお、フラップ２２もアコーデオンプリーツ状に形成すればより一層遮音効果は向上する。
【００１４】
［外開きドア部の遮音構造］
次ぎに、ドア本体１を室外側（ロ）に開閉操作する外開きドア部の遮音構造について、図４と図５を参照して説明する。なお、図４及び図５において図１及び図２での構成部材と共通する部材については、同一符号を付して詳細な説明は省略する。
図４は、外開きドア部３０の斜視図である。図１で図示した内開きドア部１０との差異は、図１で図示した内開きドア部１０のドア係止突起４が、ドア本体１の閉止時に、ドア本体１を室外側（ロ）に行き過ぎさせないよう所定位置に係止するため、ドア本体１の室外側（ロ）の表面１ｅに当接せしめるようにしているのに対して、外開きドア部３０においては、ドア本体１の閉止時に、ドア本体１が室内側（イ）に行き過ぎないよう、所定位置に位置決めして係止するドア係止突起３１（内開きドア部のドア係止突起４に相当）が、ドア枠２の内周面２ａの室内側（イ）位置に沿って配されていて、ドア本体１の室内側表面１ｄに当接せしめるようにしてドア本体１を係止せしめていることである。
【００１５】
このようなことから、外開きドア部３０では、ドア用遮音部材２０を吊下支持するためドア本体１に設けるブラケット５−１、５−２は、ドア本体１の室内側（イ）の表面１ｄの上部桟１ｂに配設する複数のブラケット５−１、５−２の室内側（イ）に向けて延びる支持腕５ａが、前記ドア枠２の内周面２ａに沿って設けたドア係止突起３１に突き当たらないように、ドア本体１の上部桟１ｂや側部１ａ、１ｃより離間するように配設することが必要である。
【００１６】
このようにして複数のブラケット５−１、５−２を配した外開きドア部３０の遮音構造は図５に図示する如き態様でなされる。
外開きドア部３０のドア枠２とドア本体１との隙間を目張りする。実際にはドア係止突起３１に発泡樹脂製の隙間テープ２５を貼り付け、ドア枠２とドア本体１との隙間を塞ぐようにする。そして、上記図１で図示したドア用遮音部材２０の遮音部材２１の内面２１ｅ上部に配設した吊下用ポケット２４に吊下用支持棒２６を挿通せしめて、該吊下用支持棒２６の両端部をドア本体２の上部に配設したブラケット５−１、５−２の支持腕５ａに挿通して懸架せしめて、ドア用遮音部材２０をドア本体１を覆うように吊下して配置する。次いで、フラップ２２を内側に折り返し、該ドア用遮音部材２０を、該遮音部材２１がドア本体１の室内側（イ）の表面１ｄより間隔Ｘを隔たるよう、ドア本体１を覆うように固定して配設したものである。
【００１７】
なお、上記遮音部材２１がドア本体１の室内側（イ）の表面１ｄより隔てる間隔Ｘは、上記内開きドアの遮音構造と同様に約５〜１５ｃｍにすることが好ましい。そして、このため、遮音部材２１の四周に設ける前記フラップ２２の幅ｗは縁端２２での貼着のりしろを含めて約１０〜２０ｃｍとするとよい。
又、遮音材１１よりなるドア部に整合する形状の遮音部材２１として、図３に図示するように、アコーデオンプリーツ状の遮音部材２１Ｐに形成すると遮音効果はより向上する。なお、フラップ２２もアコーデオンプリーツ状に形成すればより一層遮音効果は向上することは、上記内開きドア部の遮音構造と同様である。
【００１８】
【実施例】
次ぎに、本発明のドアの遮音構造の性能を確認するため、実施例としてシート状のドア部に整合する形状の遮音部材２１を種々態様で構成した遮音構造で形成して、それらの遮音効果を評価した。又、その評価をするため従来の遮音構造を比較例として形成した。
なお、実施例の対象としたドア本体１は、高さ１８００ｍｍ、幅８００ｍｍ、厚み４０ｍｍの金属製の外開きドアを使用した。
＜実施例１＞
シート状遮音材１１からなるドア部に整合する形状の遮音部材２１として、厚み：８ｍｍ、高さ１８６０ｍｍ、幅：９４０の特殊天然ゴムシート（株式会社スター・コーポレーション社製、登録商標「エアステップ（ＡＩＲ  ＳＴＥＰ）」）を、繊維網目シート２３で被包し、その四周に同様のシート状材料でなるフラップ２２を配したドア用遮音部材２０を、図５に図示する如く、ドア本体１の室内側（イ）に、遮音部材２１が、ドア表面１ｄとの間隔Ｘを９ｃｍになるようにして、ドア本体１を覆って配置固定して遮音構造として形成した。
【００１９】
＜実施例２＞
実施例２のドアの遮音構造として、実施例１と同様の仕様諸元を有するドア用遮音部材２０を配置した上、更にドア本体１とドア枠２との閉止隙間に隙間テープにより気密に目張りして遮音構造として形成した。
【００２０】
＜実施例３＞
実施例３の遮音構造として、実施例１のシート状遮音材１１でなるドア部に整合する形状の遮音部材２１を、図３に図示する如きアコーデオンプリーツ状の遮音部材２１Ｐとし、その他の仕様諸元は実施例１と同様な仕様とし、かつ同様な配置でドア用遮音部材を固定して遮音構造として形成した。
【００２１】
＜実施例４＞
実施例４の遮音構造として、実施例１の遮音構造の構成のうち、シート状遮音材１１でなるドア部に整合する形状の遮音部材２１の遮音材「特殊天然ゴム」に代えて、同様寸法の透明な塩化ビニルシートを用い、その他の仕様諸元及び配置は実施例１と同様な態様にして遮音構造を形成した。
【００２２】
上記した各実施例１乃至実施例４の本発明の「ドアの遮音構造」の遮音効果を確認するため、室内で電動丸鋸を駆動しその駆動音を試験音響として、各実施例の遮音構造に関して、これらの遮音構造を介して室外で聴取した音響強さを測定した。これを表１に表示する。
【００２３】
又、上記実施例１乃至実施例４における本発明のドアの遮音構造の遮音効果を評価するため、＜比較例１＞として、遮音構造を施さない状態における、室外で聴取した音響強さと、＜比較例２＞として、ドア本体１とドア枠２との閉止隙間に単に隙間テープにより気密に目張りして遮音構造とした場合の、室外で聴取した音響強さを測定して、表１に併記して表示した。
【００２４】
【表１】
0004841771.tif 000002
【００２５】
表１で明らかなように、
▲１▼実施例１ないし実施例４の本発明のドアの遮音構造は、いずれも、比較例２の単なる目張りによる遮音構造と比較して遮音効果が著しく向上している。
▲２▼一番遮音効果が優れていたのは実施例３の遮音部材２１としてアコーデオンプリーツ状の遮音部材２１Ｐとしたもので、比較例１の遮音構造を施さない状態のものより２３％向上して遮音されることが確認された。そして比較例２の目張りだけの遮音構造を施したものより、１５％遮音効果が向上することが確認された。
▲３▼又、実施例１と実施例２とを比較すると、目張りを施した実施例２の遮音構造の遮音効果が実施例１の遮音構造のそれより優れており、これによりドア本体１とドア枠２との隙間を目張り施すことにより遮音効果がより向上することが確認された。
【００２６】
【発明の効果】
本発明のドアの遮音構造とそれに使用するドア用遮音部材によれば、以下の如き効果を奏する。
本発明のドアの遮音構造及びドア用遮音部材は、ドア本体の室内側に露出され、ドア本体とは別体とされたシート状の遮音材でなるドア部に整合する形状の遮音部材を室内側のドア本体の表面より離間して着脱可能に配設することにより遮音効果を著しく向上せしめることができ、その上、この遮音部材の四周に沿ってフラップを設けて、箱状として、そのフラップの縁端をドア本体とドア枠の隙間に合わせて配置固定することによって、音響の室外への漏洩伝播を著しく低減せしめることができる。
又シート状の遮音部材やフラップは、シート状の遮音材を網材で被包して形成することによって型くずれが防止でき取り扱いが容易であるとともに、シート状であるにも拘わらず、ドア部を所望する間隔を保って密着して固定することができて、優れた遮音効果を安定した状態で保持する効果を奏する。
【００２７】
そして、遮音部材をアコーデオンプリーツ状に形成することにより、より一層遮音効果を向上せしめることができる。
また、遮音部材のドア室内側表面からの離間距離を約５〜１５ｃｍにするとその遮音効果はより顕著となる効果を奏する。
なお更に、ドア本体閉止時のドア本体とドア枠との間に生じる隙間を目張りすることにより、遮音効果が更に向上する。
【図面の簡単な説明】
【図１】  内開きドア部と該ドア部に配置する本発明のドア用遮音部材の一例を説明する斜視図である。
【図２】    本発明の内開きドア部の遮音構造の一例を説明する一部切開斜視図である。
【図３】  アコーデオンプリーツ状の遮音部材でなる、ドア用遮音部材４０を説明する一部切開斜視図である。
【図４】  外開きドア部を説明する斜視図である。
【図５】    本発明の外開きドア部の遮音構造の一例を説明する一部切開斜視図である。
【符号の説明】
１０…内開きドア部、  ２０…ドア用遮音部材、  ３０…外開きドア部、
４０…アコーデオンプリーツ状の遮音部材でなるドア用遮音部材、
１…ドア本体、  １ｄ…ドア本体の室内側表面、２…ドア枠、
３…蝶番、  ４…ドア係止突起、  ５−１、５−２…ブラケット、
１１…シート状遮音材、  ２２…フラップ、  ２３…網目シート、
２１…シート状の遮音材でなるドア部に整合する形状の遮音部材、
２４…吊下用ポケット、
Ｘ…ドア本体の室内側表面からシート状の遮音材でなるドア部に整合する形状の遮音部材の離間間隔
【図１】
0004841771.tif 000003
【図２】
0004841771.tif 000004
【図３】
0004841771.tif 000005
【図４】
0004841771.tif 000006
【図５】
0004841771.tif 000007